(57)【要約】【課題】  カップの保持が安定となるカップホルダを提供する。【解決手段】  下細円錐状容器の側壁のテーパーが相対的に小さい第１カップと、相対的に大きい第２カップとを保持するカップホルダであり、中央に開口を持つホルダ底部と、ホルダ側壁部とを持つ。ホルダ側壁部は円周方向に複数に分割された第１側壁部と、その間で円周方向の外側に位置して上端が連続して山形となった第２側壁部とを備える。第１側壁部の上部は第１カップの複数個所を囲み、カップ外周のテーパーと同一またはそれに近いテーパーを持つ第１保持部となり、第１保持部の円周方向両側はカップ外周から間隔を存する。第１カップ下端はホルダ底部の上面に対向し、第１側壁部の内面から間隔を存する第４保持部となる。第２側壁部の上部は第２カップの複数個所を囲んで接し、第２保持部となり、第２カップの底部がホルダ底部の開口に嵌合される第５保持部となる。【選択図】      図６
2017164336.tif 000002
【特許請求の範囲】
【請求項１】
下細円錐状容器の側壁のテーパーが相対的に小さい第１カップと、相対的に大きい第２カップとを保持するカップホルダであって、カップの底部を囲み、中央に開口を持つホルダ底部と、カップの側壁部を囲むホルダ側壁部とを持つものにおいて、
前記ホルダ側壁部は円周方向に複数に分割された第１側壁部と、隣り合う該第１側壁部の間で円周方向の外側に位置して上端が連続して山形となった第２側壁部とを備え、
前記第１側壁部の上部は第１カップの複数個所を囲み、カップ外周のテーパーと同一またはそれに近いテーパーを持つ第１保持部となり、該第１保持部の円周方向両側はカップ外周から間隔を存し、
第１カップ下端は前記ホルダ底部の上面に対向し、前記第１側壁部の内面から
間隔を存している第４保持部となり、
前記第２側壁部の上部は第２カップの複数個所を囲んで接し、第２保持部となり、第２カップの底部が前記ホルダ底部の開口に嵌合される第５保持部となるカップホルダ。
【請求項２】
前記第１側壁部の前記第１保持部の上側は、第２カップの複数個所を囲み、カップ外周のテーパーと同一またはそれに近いテーパーを持つ第３保持部となり、該第３保持部の円周方向両側はカップ外周から間隔を存している請求項１記載のカップホルダ。
【請求項３】
前記ホルダ底部には、ホルダ側壁に続く溝部が設けられた請求項１または２記載のカップホルダ。
【発明の詳細な説明】
【技術分野】
【０００１】
本発明は、カップホルダに関するものである。
【背景技術】
【０００２】
従来のカップホルダとして、例えば、特許文献１のようなものがある。これは、２種類の簡易容器を装着保持することができ、軽量化及びコスト低減を図ることができると共に、デザインの多様化にも対応でき、安定して持ち上げることができることを目的とするものである。そして解決手段として、紙コップの底部開口の内週が嵌合されて保持する第１保持部と、インサートカップの底部外周が嵌合されて保持する第２保持部を備えたホルダ底部と、これに一体形成された取っ手とで構成されている。
【先行技術文献】
【特許文献】
【０００３】
【特許文献１】特許第３６１５７０３号公報
【発明の概要】
【発明が解決しようとする課題】
【０００４】
しかしながら、この  従来のカップホルダは、どうしてもカップの保持が不安となる。それは、カップの底部のみで保持するためであり、どうしても限界があることはやむを得ないであろう。
【０００５】
本発明は上記課題を解決し、カップの保持が安定となるカップホルダを提供することを目的とする。
【課題を解決するための手段】
【０００６】
本発明の第１課題解決手段のカップホルダは、下細円錐状容器の側壁のテーパーが相対的に小さい第１カップと、相対的に大きい第２カップとを保持するカップホルダであって、カップの底部を囲み、中央に開口を持つホルダ底部と、カップの側壁部を囲むホルダ側壁部とを持つものにおいて、前記ホルダ側壁部は円周方向に複数に分割された第１側壁部と、隣り合う該第１側壁部の間で円周方向の外側に位置して上端が連続して山形となった第２側壁部とを備え、前記第１側壁部の上部は第１カップの複数個所を囲み、カップ外周のテーパーと同一またはそれに近いテーパーを持つ第１保持部となり、該第１保持部の円周方向両側はカップ外周から間隔を存し、第１カップ下端は前記ホルダ底部の上面に対向し、前記第１側壁部の内面から間隔を存している第４保持部となり、前記第２側壁部の上部は第２カップの複数個所を囲んで接し、第２保持部となり、第２カップの底部が前記ホルダ底部の開口に嵌合される第５保持部となるものである。
【０００７】
本発明の第２課題解決手段のカップホルダは、第１課題解決手段に加え、前記第１側壁部の前記第１保持部の上側は、第２カップの複数個所を囲み、カップ外周のテーパーと同一またはそれに近いテーパーを持つ第３保持部となり、該第３保持部の円周方向両側はカップ外周から間隔を存しているものである。
【０００８】
本発明の第３課題解決手段のカップホルダは、第１、第２課題解決手段に加え、前記ホルダ底部には、ホルダ側壁に続く溝部が設けられたものである。
【発明の効果】
【０００９】
本発明は、ホルダ側壁部は円周方向に複数に分割された第１側壁部と、隣り合う該第１側壁部の間に位置し、かつ、円周方向の外側に位置する上端が連続して山形となった第２側壁部とを備える。そして、該第１側壁部の上部は第１カップの複数個所を囲む第１保持部となっている。また、該第２側壁部の上部は第２カップの複数個所を囲んで接し、第２保持部となっている。また、ホルダ底部はカップの第４、第５保持部となっている。
【００１０】
しかも、前記第１保持部は、カップ外周のテーパーと同一またはそれに近いテーパーを持つ。従って、カップの保持が安定する。また、前記第１、第２保持部の円周方向両側はカップ外周から間隔を存しているので、カップとの接触面積が狭くなる。このため、カップの熱伝導が少なく、熱いカップを持つ時に安全である。
【図面の簡単な説明】
【００１１】
【図１】本発明のホルダの正面図
【図２】本発明のホルダの平面図
【図３】本発明のホルダの左側面図（右側面図は対象）
【図４】本発明のホルダの背面図
【図５】本発明のホルダの底面図
【図６】図１のＡ−Ａ断面図
【図７】第２実施例の端面図
【図８】第３実施例の底部の断面図
【発明を実施するための形態】
【００１２】
以下に本発明の一実施例を図面にもとづき詳細に説明する。
図１は本発明のカップホルダの正面図，図２は平面図，図３は左側面図，図４は背面図，図５は底面図，図６は図１のＡ−Ａ断面図を示したものである。
【００１３】
図１，２，３，４，６において、このカップホルダＨは、下細円錐状容器の側壁のテーパーが相対的に小さい第１カップ（一点鎖線で示す紙製）Ｃ１と、相対的に大きい第２カップ（点線で示すプラスチック製）Ｃ２とを保持するカップホルダである。第１カップＣ１は底面が側壁下端からわずかに高い。第２カップＣ２は底面が下端となっている。
【００１４】
カップホルダＨは、カップの底部を囲み中央に開口を持つホルダ底部１３と、カップの側壁部を囲むホルダ側壁部１０とを持ち、合成樹脂で一体成型される。ホルダ底部１３は円環体であり、中央に開口１３１を持つ。
【００１５】
ホルダ側壁部１０は、円周方向に複数に分割された縦長短冊状の第１側壁部１１と、隣り合う該第１側壁部１１の間に位置し、かつ、円周方向の外側に位置する上端が連続して山形となった第２側壁部１２とを備える。
【００１６】
該第１側壁部１１の上部は第１カップＣ１の複数個所を囲み、カップ外周のテーパーと同一またはそれに近いテーパーを持つ第１保持部１１１となる。また第１カップ下端が前記ホルダ底部１３の上面に対向し、前記第１側壁部１１の内面から間隔を存している第４保持部１４となる。
【００１７】
また、ホルダ側壁の第２側壁部１２の上部は第２カップＣ２の複数個所を囲んで接して第２保持部１２２となる。また、第２カップの底部が前記ホルダ底部の開口１３１に嵌合されて第５保持部１５となる。
【００１８】
次に、図６において、使用状態を説明する。第１カップ（一点鎖線で示す紙製）Ｃ１をホルダＨに入れると、第１保持部１１１のテーパーで案内されて、第１カップ下端が前記ホルダ底部１３の上面に対向する。そして、前記ホルダ側壁第１部分１１の内面から間隔を存した状態で第４保持部１４となる。
【００１９】
このように、前記第１保持部１１１はカップ外周のテーパーと同一またはそれに近いテーパーを持つので、カップの保持が安定する。また、前記第１保持部の円周方向両側はカップ外周から間隔を存しているので、カップとの接触面積が狭くなる。このため、カップの熱伝導が少なく、手で持つ時に安全である。
【００２０】
次に、第２カップ（点線で示すプラスチック製）Ｃ２をホルダＨに入れると、第２保持１２２に接触し、第２カップの底部が前記ホルダ底部の開口１３１に嵌合されて、第５保持部１５となる。
【００２１】
このように、前記第２保持部１２２と第５保持部１５で保持されるので、カップの保持が安定する。また、前記第２保持部の円周方向両側はカップ外周から間隔を存しているので、カップとの接触面積が狭くなる。このため、カップの熱伝導が少なく、手で持つ時に安全である。
【００２２】
図７の第２実施例において、ホルダ側壁部１０の第１側壁部１１の第１保持部１１１の上側は、第２カップ（点線で示すプラスチック製）Ｃ２の複数個所を囲み、カップ外周のテーパーと同一またはそれに近いテーパーを持つ第３保持部１１３となる。また、第２カップの底部が前記ホルダ底部の開口に嵌合される第５保持部１５となる。
【００２３】
このように、前記第３保持部１１３はカップ外周のテーパーと同一またはそれに近いテーパーを持つので、カップの保持が安定する。また、前記第３保持部１１３の円周方向両側はカップ外周から間隔を存しているので、カップとの接触面積が狭くなる。このため、カップの熱伝導が少なく、手で持つ時に安全である。
【００２４】
図８の第３実施例において、ホルダ底部１３にはホルダ側壁１０に続く溝部１３２が設けられている。この溝部１３２に第１カップＣ１の底面より下がった円環下端部がる。このため、第１カップＣ１は全体的に下方に下がり、カップホルダからのカップの飛びだし量（寸法）が少なくなり、見た目の安定感が得られる。
【００２５】
本発明は前記した実施例や実施態様に限定されず、特許請求の範囲および範囲を逸脱せずに種々の変形を含む。
【産業上の利用可能性】
【００２６】
本発明はカップホルダに利用できる。
【符号の説明】
【００２７】
Ｃ１  第１カップ
Ｃ２  第２カップ
Ｈ  カップホルダ
１０  ホルダ側壁部
１１  第１側壁部
１１１  第１保持部
１１３  第３保持部
１２  第２側壁部
１２２  第２保持部
１３  ホルダ底部
１３１開口
１３２溝部
１３３底
１３４段部
１３５突起
１４  第４保持部
１５  第５保持部
【図１】
2017164336.tif 000003
【図２】
2017164336.tif 000004
【図３】
2017164336.tif 000005
【図４】
2017164336.tif 000006
【図５】
2017164336.tif 000007
【図６】
2017164336.tif 000008
【図７】
2017164336.tif 000009
【図８】
2017164336.tif 000010